(57)【要約】【課題】  フカセ釣り等のウキ釣りにあって、タナ落ちを確実なものにし、またタナ落ち進行を容易に視認できる戻りウキを提供する。【解決手段】  全体比重が０.６以下で構成される塊状体にして、該塊状体に道糸２が縦通する貫通孔１２を形成し、且つハリス側に空気抵抗を受ける面１３１又はへこみ１３３を形成し、ウキ釣りの投入で空気抵抗を受けることにより、道糸２に取付けられた投入直前の当初位置から道糸を摺動して竿４側へ移動するようにした。【選択図】  図２
2005027650.tif 000002
【特許請求の範囲】
【請求項１】
全体比重が０.６以下で構成される塊状体にして、該塊状体に道糸(２)が縦通する貫通孔(１２)を形成し、且つハリス(Ｈ)側に空気抵抗を受ける面(１３１若しくは１３２)又はへこみ(１３３)を形成し、ウキ釣りの投入で空気抵抗を受けることにより、道糸(２)に取付けられた投入直前の当初位置から道糸(２)を摺動して竿(４)側へ移動するようにしたことを特徴とする戻りウキ。
【請求項２】
前記貫通孔(１２)の孔径がハリス(Ｈ)側から竿(４)側に向かって大きくなる請求項１記載の戻りウキ。
【請求項３】
前記貫通孔(１２)の上端に本体部(１０)と別体にして、内径(ｄ１)が前記貫通孔(１２)の上側孔径(Ｄ１)より小さなリング部材(Ｅ)が固着され、また前記貫通孔(１２)の下側の孔径(Ｄ２)が道糸(２)の糸径より大にして道糸(２)を遊挿状態にする一方でウキ止め(７)は係止し得る小径に形成され、ウキ釣りの投入で空気抵抗を受けることにより、道糸(２)に取付けられた投入直前の当初位置から道糸(２)を摺動して竿(４)側へ移動し、その移動力を利用してウキ止め(７)を弾性変形させて、該ウキ止め(７)が前記リング部材(Ｅ)のリング孔(Ｅ４)をくぐり抜け貫通孔(１２)内に入り込めるようにした請求項１記載の戻りウキ。
【請求項４】
前記貫通孔(１２)の上端に本体部(１０)と別体にして、内径(ｄ１)が前記貫通孔(１２)の上側孔径(Ｄ１)より小さなリング部材(Ｅ)が固着され、また前記貫通孔(１２)の下端に本体部(１０)と別体にして、内径(ｄ２)が前記貫通孔(１２)の下側孔径(Ｄ２)より小さなリング部品(Ｆ)が固着され、該リング部品(Ｆ)の内径(ｄ２)が道糸(２)の糸径より大にして道糸(２)を遊挿状態にする一方でウキ止め(７)は係止し得る小径に形成されて、ウキ釣りの投入で空気抵抗を受けることにより、道糸(２)に取付けられた投入直前の当初位置から道糸(２)を摺動して竿(４)側へ移動し、その移動力を利用してウキ止め(７)を弾性変形させて、該ウキ止め(７)が前記リング部材(Ｅ)のリング孔(Ｅ４)をくぐり抜け貫通孔(１２)内に入り込めるようにした請求項１記載の戻りウキ。
【発明の詳細な説明】
【技術分野】
【０００１】
本発明はフカセ釣り等のウキ釣りに用いられ、ウキの一種と考えられる戻りウキに関する。
【背景技術】
【０００２】
磯,堤防からのグレ,チヌ等を対象とした釣法にフカセ釣りがある。フカセ釣りでは通常、ウキを使用し、できるだけ軽い錘りを仕掛けにつけて釣る。対象魚の居る水深は水面下３ｍ〜１０ｍ位である。竿の長さは５ｍ前後の長尺ものが一般的である。この長さの竿でウキを固定して釣ることは投入及び回収、また魚の取り込みにも困難となる。そこで、これを解決する手段として、近年、遊動仕掛けが多様されている。遊動仕掛けとはフリー状態になっているウキにウキ止めが当たることにより釣るタナを自由に設定できる釣法である。
近年のウキ釣り、特にフカセ釣りではこの遊動仕掛けが一般的になっている。深いタナを釣る場合、ウキが固定されると、既述のごとくウキ下が竿より長くなるため巻き取りや魚の取り込みが困難になるが、遊動仕掛けにすればウキ止め７下でウキ３ｂが移動でき、これらの問題が解消される(図１４)。図１４中、符号２は道糸、符号５はサルカン、符号６は錘り、符号７はウキ止め、符号８は釣針、符号９はサシエ、符号Ｃはシモリ玉を示す。遊動仕掛けではウキ止めを移動させることによって、狙う深さも調整できる。そして、深いタナでも、投入時はウキがサルカン部まで落ちているので、仕掛け投入が非常に楽になっている。
【発明の開示】
【発明が解決しようとする課題】
【０００３】
しかるに、フカセ釣りで軽い仕掛けで釣る場合、遊動仕掛けではタナ落ちが悪くなる不具合があった。その理由は、まず第１に道糸２に巻きグセや糸グセがあり、ウキ部で屈曲状態になってタナ落ちを悪くするからである。第２の理由は海面Ｓより上方の道糸２が風を受けタナ落ちを妨げるからである。遊動仕掛けでは竿から繰り出された全体のライン重量も引っ張らねばならず、軽い仕掛けの場合は遊動部のタナ落ち移動を一層悪くした。第３の理由は道糸２が中通しウキ３ｂの縦通部３２を通過するときの接触抵抗が負担になるからである。
こうした不具合対策として、本出願人は中通しウキ本体の道糸が挿通する孔を長孔で形成した釣り具用長孔形成体を先に提案した(特許文献１参照。)。
【０００４】
【特許文献１】特開２０００−３２４９９４公報(第３−５頁,図４)
【０００５】
しかしながら、特許文献１の技術は前記第１の不具合は改善できても、第２,第３の不具合の解消が困難で、軽い仕掛けになればなるほど無視できなくなっていた。斯る不具合を完全解決するには狙うタナの位置にウキを固定すればいいのだが、固定すれば投入できなくなってしまう問題があった。
【０００６】
また、遊動仕掛けのタナ落ちは同じ仕掛けであっても、風,波等の影響で刻一刻違っている。初心者はこの変化がわからず、タナ落ちがうまくなされてなくて貧果になることがある。この対策として、タナ落ち確認のためのカラー道糸や目印機能付きのウキ止めの技術が提案されているが、いずれも小さすぎて視認しづらい問題があった。
【０００７】
本発明は上記問題点を解決するもので、フカセ釣り等のウキ釣りにあって、タナ落ちを確実なものにし、またタナ落ち進行を容易に視認できる戻りウキを提供することを目的とする。
【課題を解決するための手段】
【０００８】
上記目的を達成すべく、請求項１に記載の発明の要旨は、全体比重が０.６以下で構成される塊状体にして、該塊状体に道糸が縦通する貫通孔を形成し、且つハリス側に空気抵抗を受ける面又はへこみを形成し、ウキ釣りの投入で空気抵抗を受けることにより、道糸に取付けられた投入直前の当初位置から道糸を摺動して竿側へ移動するようにしたことを特徴とする戻りウキにある。請求項２の発明たる戻りウキは、請求項１で、貫通孔の孔径がハリス側から竿側に向かって大きくなることを特徴とする。
請求項３の発明たる戻りウキは、請求項１で、貫通孔(１２)の上端に本体部(１０)と別体にして、内径(ｄ１)が前記貫通孔(１２)の上側孔径(Ｄ１)より小さなリング部材(Ｅ)が固着され、また前記貫通孔(１２)の下側の孔径(Ｄ２)が道糸(２)の糸径より大にして道糸(２)を遊挿状態にする一方でウキ止め(７)は係止し得る小径に形成され、ウキ釣りの投入で空気抵抗を受けることにより、道糸(２)に取付けられた投入直前の当初位置から道糸(２)を摺動して竿(４)側へ移動し、その移動力を利用してウキ止め(７)を弾性変形させて、該ウキ止め(７)が前記リング部材(Ｅ)のリング孔(Ｅ４)をくぐり抜け貫通孔(１２)内に入り込めるようにしたことを特徴とする。
請求項４の発明たる戻りウキは、請求項１で、貫通孔(１２)の上端に本体部(１０)と別体にして、内径(ｄ１)が前記貫通孔の上側孔径(Ｄ１)より小さなリング部材(Ｅ)が固着され、また前記貫通孔(１２)の下端に本体部(１０)と別体にして、内径(ｄ２)が前記貫通孔(１２)の下側孔径(Ｄ２)より小さなリング部品(Ｆ)が固着され、該リング部品(Ｆ)の内径(ｄ２)が道糸(２)の糸径より大にして道糸(２)を遊挿状態にする一方でウキ止め(７)は係止し得る小径に形成されて、ウキ釣りの投入で空気抵抗を受けることにより、道糸(２)に取付けられた投入直前の当初位置から道糸(２)を摺動して竿(４)側へ移動し、その移動力を利用してウキ止め(７)を弾性変形させて、該ウキ止め(７)が前記リング部材(Ｅ)のリング孔(Ｅ４)をくぐり抜け貫通孔(１２)内に入り込めるようにしたことを特徴とする。
【０００９】
(作用)
請求項１の発明によれば、全体比重が０.６以下で構成される塊状体にして、該塊状体に道糸が縦通する貫通孔を形成し、且つハリス側に空気抵抗を受ける面又はへこみを形成し、ウキ釣りの投入で道糸を摺動して竿側へ移動する戻りウキが遊動仕掛けに取付けられると、当初は遊動仕掛けでありながら戻りウキの竿側への移動によってウキ止めに係止して固定ウキに変えることができる。そして固定ウキがウキ止めに係止固定されることによって、例えば水中ウキを用いれば所望のタナが出来上がり、着水後の遊動部のタナ落ち移動は不要になる。タナ落ちを確実なものにする。ウキ止めがない全遊動仕掛けを用いた場合でも、戻りウキの竿側への移動によって所望のタナが出来上がり、タナ落ちを確かなものにする。また、通常ウキを用いて、戻りウキがウキ止めに係止固定されるようにし、遊動部のタナ落ち移動をさせる場合でも、ウキ止めに比べれば大きな戻りウキが指標になり、タナ落ち進行を容易に視認できるようになる。
請求項２の発明のごとく、貫通孔の孔径がハリス側から竿側に向かって大きくなるよう設定すると、様々な種類のウキ止めも貫通孔内に取り込んで係止できるので、戻りウキの固定ウキ化をより確実にする。
請求項３,４の発明のごとく、内径(ｄ１)が前記貫通孔(１２)の上側孔径(Ｄ１)より小さなリング部材(Ｅ)が固着され、ウキ釣りの投入で空気抵抗を受けることにより、道糸(２)に取付けられた投入直前の当初位置から道糸(２)を摺動して竿(４)側へ移動し、その移動力を利用してウキ止め(７)を弾性変形させて、該ウキ止め(７)が前記リング部材(Ｅ)のリング孔(Ｅ４)をくぐり抜け貫通孔(１２)内に入り込める構成にすると、一旦貫通孔内にウキ止めを収めれば、リング部材(Ｅ)の抵抗で多少のサソイ等ではウキ止めが外れない戻りウキになる。
さらに請求項４の発明のごとく、貫通孔(１２)の下端に本体部(１０)と別体にして、内径(ｄ２)が前記貫通孔(１２)の下側孔径(Ｄ２)より小さなリング部品(Ｆ)が固着され、該リング部品(Ｆ)の内径(ｄ２)が道糸(２)の糸径より大にして道糸(２)を遊挿状態にする一方でウキ止め(７)は係止し得る小径に形成されると、軽量にして損傷し易い本体部(１０)の貫通孔(１２)周りを、リング部材(Ｅ)とリング部品(Ｆ)が保護するので戻りウキの耐久性が向上する。
【発明の効果】
【００１０】
前述(作用での記載)のごとく、本発明の戻りウキはフカセ釣り等のウキ釣りにおいて、タナ落ちを確実なものにし、またタナ落ち進行を容易に視認でき優れた効果を発揮する。
【発明を実施するための最良の形態】
【００１１】
以下、本発明に係る戻りウキについて詳述する。
[実施形態１:戻りウキが本体部だけで形成される場合]
図１〜図１０は本発明の戻りウキの一形態で、図１は(イ)がその斜視図で(ロ)が正面図、図２は戻りウキとこれの下に配される平らなウキ(又は水中ウキ)との関係を示す一部断面説明図、図３,図４はフカセ釣りの投入時の模様を示す概略説明図、図５は投入後の仕掛けの動きを説明図、図６(イ)〜(ハ)はそれぞれ図１と異なる戻りウキの別態様図で、各左側が斜視図で各右側が正面図である。図７(イ)〜(ハ)もそれぞれ図１や図６とは異なる戻りウキの別態様図で、各左側が斜視図で各右側が縦断面図である。図８は図１及び図６,図７と異なる戻りウキで、(イ)はウキ止めが貫通孔内に留まった縦断面説明図、(ロ)は(イ)の貫通孔を形成する壁面に溝を形成した縦断面図、図９は図５とは異なる戻りウキの第２の使い方で、(イ)が戻りウキを全遊動仕掛けに用いた場合の説明図で、(ロ)が全遊動仕掛けの従来の説明図である。図１０は図５,図９とは異なる戻りウキの第３の使い方で、遊動仕掛けで従来型のウキの上流側に戻りウキを取付けた説明図である。
【００１２】
戻りウキ１はその全体比重が０.６以下で構成される塊状体で、該塊状体には道糸２を縦通する貫通孔１２が形成される。そして、該戻りウキ１は道糸２に取り付けられた場合、ハリスＨ側に空気抵抗を受ける面１３１,１３２又はへこみ１３３を形成し、フカセ釣りの投入で空気抵抗を受けることにより、道糸２を摺動して道糸２に取付けられた投入直前の当初位置から竿４側へ移動するようにしている。
【００１３】
戻りウキ１はフカセ釣り投入で空気抵抗を受け竿４側へ移動し易くするためにその全体比重を０.６以下とする。比重が０.６以下であることからフカセ釣り投入後は海面Ｓ上に大半が顔を出し視認容易となる。
戻りウキ１はその比重が小さいだけでなく、吸水性が少ないことが好ましい。戻りウキ１の吸水性が高いと、動きが鈍くなり、フカセ釣り投入時の戻りウキ１の移動が困難になるからである。勿論、本体部１０の形成部材が吸水性を有していても、戻りウキ１の表面をコーティング等することによって改善が図られれば問題になることはない。戻りウキ１に適用できる材質には例えば発泡スチロール(本実施形態),発泡ポリエチレン等のプラスチックフォームやラバーフォーム等の発泡体、或いはコルクやバルサ材(比重：０.１７)、桐(比重：約０.２９)などの木材等がある。プラスチックフォーム等の発泡体の場合は独立気泡タイプのものが望ましい。戻りウキ１は海面Ｓに浮かばなければならず、浮力材としての機能維持が要求されるからである。
【００１４】
戻りウキ１は海面Ｓに浮かぶことのできるウキだけでは充足しない。戻りウキ１の全体比重を０.６以下にするのは、これより大きいと、塊状体の形状にいくら工夫を試みても、フカセ釣りの投入で空気抵抗を受けて道糸２を摺動し道糸２に取付けられた当初位置(投入直前の位置)から竿４側へ移動させるのが困難になるからである。戻りウキ１の全体比重ρの好ましい範囲は０.０５≦ρ≦０.６、より好ましくは０.１≦ρ≦０.５の範囲である。戻りウキ１の比重が０.５以下であれば、フカセ釣り投入時に該戻りウキ１を竿４側へより円滑に移動させることができる。戻りウキ１の全体比重ρに０.０５の下限を設けるのは、これより小さい場合は戻りウキ１が例えば高倍率発泡スチロール等で造られることになるが、フカセ釣り投入時に戻りウキ１を移動させることができても、戻りウキ体の機械的強度が弱まって耐久性に乏しくなるからである。全体比重ρが０.０５未満(例えば０.０２〜０.００４)の戻りウキ１は、発泡ポリスチレンで製品化した場合、４０倍〜６０倍に発泡させねばならず、フカセ釣り投入によって道糸２によるライン溝が簡単についてしまう不具合が生じ、損傷し易く一回限りの使い捨てになる。
【００１５】
また戻りウキ１は塊状体にしてハリスＨ側(ここでは戻りウキ１の本体部下面側)に空気抵抗を受ける面又はへこみ１３３のある受面加工部１３が形成される。空気抵抗を受ける受面加工部１３の形成によって、全体比重の小ささと相まってウキ釣り投入で該戻りウキ１が竿４側へ確実に移動できるようになる。
空気抵抗を受ける面には曲面１３２及び平坦面１３１があるが、曲面１３２の場合は効果的に空気抵抗を受けるためになだらかな平坦面１３１の部分が部分的にでも形成されるのがより好ましい。曲面１３２の場合、戻りウキ１が空気抵抗を受けて竿４側へ移動し易くなる形状がより好ましい。具体的には図７(ハ)のごとく縦断面いちょう形にした場合のハリス側の下面１３２を受面加工部１３とするごとくである。
空気抵抗を受けるへこみ１３３は、成形後の後加工で戻りウキ１の下面を抉って空気が入り込む凹所を形成したり、プレス加工による凹所を形成したり、或いは成形段階で戻りウキ下面に凹所を形成したりして造ることができる。
【００１６】
本実施形態の戻りウキ１は図１のごとくキノコ形で、外形がほぼ半球状にしてその本体部１０の下面側をキノコのように抉っている。本体部１０の裏面中央からまたキノコと同じように足部１１が垂下し、足部１１の下端が半球状本体部１０の下縁より下方へ突き出している(図１のロ)。そして半球状本体部１０の頂部から足部１１の下端まで縦通する貫通孔１２を形成する。該貫通孔１２に道糸２を挿通して図２のような使い方がなされる。符号３ａは戻りウキ１の下側に配される水中ウキで、左下方がハリス側になる。足部１１を本体部１０の下縁より突き出すのは、例えば図２がフカセ釣りの投入で水中ウキ３ａ,戻りウキ１が空中を飛んでいると仮定すれば、平らな頂部３３の水中ウキ３ａにあっても、水中ウキ３ａと戻りウキ１の受面加工部１３との間に空気が入り込む空間ができ、そのため同図の黒矢印のごとく空気がへこみ１３３に入り込んで、同図の白抜き矢印方向へ戻りウキ１が移動し易くなるからである。
【００１７】
前記貫通孔１２に関しては同径でも構わないが、図１(ロ)のごとく上側(竿４側)の孔径Ｄ１が下側(ハリス側)の孔径Ｄ２より大きく、且つ貫通孔１２の孔径がハリスＨ側から竿４側に向かってラッパ状に徐々に大きくするのがより好ましい。戻りウキ１の使用方法の一つにウキ止め７を貫通孔１２内に係止して戻りウキ１を道糸２に固定する釣り方(後述)があり、Ｄ１＞Ｄ２とすれば、種々の大きさのウキ止め７を貫通孔１２内に取り込んで該貫通孔１２内で係止し易くなるからである。具体的数値を挙げれば、太さが０.２〜０.３mmφの道糸２に対し、下側孔径を０.６〜０.８mmφとし一番小さなウキ止め７も戻りウキ１を通過させない径とし、一方、上側孔径を２.０mmφ以上にしてウキ止め７が貫通孔１２内に入り易くする。ウキ止め７を貫通孔１２内にスムーズに入り込ませるべく、貫通孔１２の上側入口部分は図８(イ),(ロ)のごとくアールをつけるのがより好ましい。
また貫通孔１２を形成する壁面に図８(ロ)のごとく溝１５を形成すると、ウキ止め７がある釣り法では、貫通孔１２の内部に入ったウキ止め７が該溝１５によってより確実に係止,固定されより好ましくなる。ラインを引っ張っても貫通孔１２からウキ止め７が抜け難くなる。
【００１８】
図６(イ)〜(ハ)は図１と形状が異なる他態様の戻りウキ１を示す。同図(イ)はほぼ半球状本体部１０の頂部からハリス側下部にあたる受面加工部１３の底面中央に縦通する貫通孔１２を形成した戻りウキ１で、底面が平坦面１３１になっている。同図(ロ)はマッシュルームタイプでほぼ半球体からなる本体部１０の中央下部に軸状の足部１１を形成し、且つ本体部１０の頂部から足部１１に縦通する貫通孔１２を形成した戻りウキ１である。半球状本体部１０の下面が受面加工部１３になる。図１と違って本体部１０の下面は平らである。同図(ハ)は(イ)の戻りウキ１に脚部分１０１を一体成形で付加したもので、詳しくは半球状本体部１０の半球と円形底面とが交わる外周縁部分を、１２０°のピッチ間隔で３箇所に図示のごとくの脚部分１０１を延設したものである。脚部分１０１があることによって、図２のような水中ウキ３ａが用いられても脚部分１０１が水中ウキ３ａの対向面３３に載り、受面加工部１３と水中ウキ３ａとの間に空気が入り込む空間ができ、フカセ釣り投入で空気抵抗を受け易くなっている。
【００１９】
図７(イ)〜(ハ)は図１,図６と形状が異なる他態様の戻りウキ１を示す。同図(イ)は図１の足部１１の下端を球面本体部１０の下縁にほぼ一致させた戻りウキ１である。斯る戻りウキ１は、これの下側に取付け使用されるウキや水中ウキ３ａが図２のような平らな頂部３３をもたなくても、図３〜図５のごとくのタマゴ形形状した通常のウキ３ｂ,水中ウキ３ａであれば本発明の威力を十分発揮できる。同図(ロ)は図６(ハ)の戻りウキ１の底面たる受面加工部１３に抉り加工を加えへこみ１３３を形成し、更に足部１１を付加形成したものである。本体部１０の肉厚を薄くしパラソル状にする。同図(ハ)は既述のごとく縦断面イチョウ形にした戻りウキ１で、半球状本体部１０から逆さ富士のような円錐台の足部１１が下方に向けて延設される。逆さ富士のすそ野にあたる曲面部分１３２が受面加工部１３になる。そして本体部１０の頂部から足部１１に縦通する貫通孔１２を形成している。なお、戻りウキ１の本体部１０の形状については特に制限がないが、図１,図６,図７のいずれの戻りウキ１でも用いられているようにパラソル状や半球状の丸みをもって形成されるのが好ましい。フカセ釣り投入で本体部１０の上手側(竿４側)に不必要な空気の乱れを起こさせないためである。
【００２０】
また図１,図６,図７の戻りウキ１を含め、戻りウキ１には少なくとも上半部の意匠面１ａに視認性の色彩１４が施される。意匠面１ａに視認性の色彩１４が施されることによって、フカセ釣り投入で海面Ｓに浮かぶ戻りウキ１の場所が確認できる。タナ落ち進行を確認する場合に楽になる。色彩１４は色相,明度,彩度の３要素からなる有彩色が好ましい。また色鮮やかな蛍光色等がより好ましい。色彩１４は戻りウキ１の形状を完成させた後、塗装等によって着色塗装してもよいし、成形材料に顔料等を混合した後、色彩１４が施された戻りウキ１を成形して意匠面１ａに視認性の色彩１４が施されるようにしてもよい。戻りウキ１は上半部の例えば図１の本体部１０の外表面にあたる意匠面１ａだけに視認性の色彩１４を施すだけで足りる。海面Ｓに浮かぶ戻りウキ１の場所特定に特に支障はないからである。上半部とするのは下半部より上半部の方が釣人にとって見えやすい部分だからである。なお戻りウキ１の意匠面全てに視認性色彩１４が施されれば、戻りウキ１がどのような姿態で海面Ｓに浮かぼうとその色彩１４で場所特定が行い易くなりより好ましくなる。
【００２１】
[実施形態２:戻りウキが本体部とリング部材とリング部品で形成される場合]
本実施形態の戻りウキは図１１,図１２のごとく本体部１０とリング部材Ｅとリング部品Ｆとを具備する。貫通孔１２の上端(上部)に本体部１０とは別体のリング部材Ｅが固着され、また貫通孔１２の下端(下部)に本体部１０とは別体のリング部品Ｆが固着されてなる戻りウキである。戻りウキはその全体比重を０.６以下とする。戻りウキ１の全体比重ρの好ましい範囲は０.０５≦ρ≦０.６、より好ましくは０.１≦ρ≦０.５の範囲である。
【００２２】
本体部１０は図６(ハ)や図７(ロ)と略同形状品で、半球状又はコーン状の軽量基体で構成され、竿側に配されるその頂部からハリス側下部にあたる受面加工部１３の底面中央に縦通する貫通孔１２を形成した戻りウキ主要部である。ここでの貫通孔１２の孔径Ｄ(Ｄ１〜Ｄ２)は上端から下端に至るまで一定(例えば３mmφ)である。
戻りウキ１の底面たる受面加工部１３に図７(ロ)よりも浅めの抉り加工を加えてへこみ１３３を形成し、図７(ロ)と同様に足部１１を付加形成する。本体部１０は発泡スチロール等のプラスチックフォームやラバーフォーム等の発泡体でその本体が構成され、表面には実施形態１と同様、少なくとも上半部の意匠面１ａに視認性の色彩１４が施される。意匠面１ａに視認性の色彩１４が施されることによって、フカセ釣り投入で海面Ｓに浮かぶ戻りウキ１の場所が確認できる。タナ落ち進行を確認する場合に楽になる。色彩１４は本体部１０(又は戻りウキ１)の形状を完成させた後、塗装等によって着色塗装してもよいし、成形材料に顔料等を混合した後、色彩１４が施された本体部１０を成形して意匠面１ａに視認性の色彩１４が施されるようにしてもよい。他は実施形態１と同様でその説明を省く。実施形態１と同一符号は同一又は相当部分を示す。
【００２３】
リング部材Ｅは、前記貫通孔１２の上側孔径Ｄ１より小さく且つ道糸２に固着されたヒゲ付きウキ止め７がそのヒゲ７１を弾性変形させてくぐり抜けることのできる内径ｄ１を有するリング状環体である。リング部材Ｅはソリッドの樹脂成形品(本実施形態)や金属製品で、頭部Ｅ１と挿入部Ｅ２とからなる軸対称品である。リング部材Ｅは道糸２が接触する部分であり耐磨耗性に優れるものが好ましい。挿入部Ｅ２は円筒形にして円筒外径が貫通孔１２の孔径Ｄ１(ここではＤ１＝Ｄ)に等しい。頭部Ｅ１は挿入部Ｅ２の上端から外方に延設される鍔状部で、挿入部Ｅ２を本体部上面から貫通孔１２内に挿入し、貫通孔１２の上端で頭部下面が本体部上面に当接することによってリング部材Ｅが本体部１０に密着し一体的に嵌着される。本体部１０に当接する挿入部Ｅ２の円筒外面及び頭部Ｅ１の下面に接着剤を適宜塗布し、本体部１０へのリング部材Ｅの確実な固着が図られる。リング部材Ｅの円形リング孔Ｅ４は挿入部Ｅ２の下端部から頭部Ｅ１に向けて孔径が徐々に広がり、さらに頭部Ｅ１の入口部分で丸みをつけて口を広げる。頭部Ｅ１の入口部分に口を広げ丸みを付けることによって、ウキ止め７を入り易くする。挿入部Ｅ２の下端部から挿入部下面に至る角部はカット処理がなされ、挿入部下端より若干上方位置の下端部の孔径が最小孔径(例えば１.２mmφ)で、これがリング部材Ｅの内径ｄ１になっている。本発明のリング部材Ｅの内径ｄ１は、軸方向に本実施形態のように孔径が変化する場合は最小になる孔径をいう。挿入部下面はリング部材Ｅが本体部１０に固着されたとき略水平面になる。リング部材Ｅの内径ｄ１の好適範囲は、１.０≦ｄ１≦２.０である。この範囲より小さいと、ヒゲ付きウキ止め７がヒゲ７１を弾性変形させてもリング部材Ｅをくぐり抜けにくく、一方、この範囲を越えると、ヒゲ７１を弾性変形させリング部材Ｅをくぐり抜けたウキ止め７がサソイをかけた時に不用意に抜けてしまうからである。
【００２４】
ここで、ヒゲ付きウキ止め７はハリスの１.２号〜１.５号を道糸２に巻き付け結束部７０を形成すると共にヒゲ７１(端)を２mm〜７mm程度残してカットしたウキ止めで(図１１)、通称、山元式ウキ止めと呼ばれている。ウキ止め７に使用するハリスはナイロンハリスでもよいが、フロロカーボンハリスの方が弾性反発力があるのでこれが専ら用いられている。現在の磯釣りのフカセ釣りでは、多くの釣り人がこのヒゲ付きウキ止め７を愛用する。
通常、磯釣りに使われるウキは内径を大きくしている。内径が小さいと道糸２の糸グセがひっかかりスムーズなタナ落ちが行えない理由による。そして、前記内径が大きいため、通常のウキ止め７は止まらず通過するためシモリ玉が必要になっている。ただ、シモリ玉もウキ止め７を止めるため、非常に小さな孔が設けられる結果、タナ落ちに支障をきたす問題があった。
そこで、ヒゲ付きウキ止め７が登場した(図１１)。ヒゲ付きウキ止め７はヒゲ７１の弾性反発力を利用し、フカセ釣りの錘り負荷においては十分対応でき、且つリールで巻き取ってもヒゲ７１が倒れるため問題が生じない。１.２号のハリスの場合は３Ｂ負荷、１.５号のハリスの場合は５Ｂ負荷に耐えられることが通説(釣り雑誌等で紹介)で、多くの釣り人がこのウキ止め７を用いて支障なく釣りをしている。
【００２５】
リング部品Ｆは、内径ｄ２が道糸２の糸径より大にして道糸２を遊挿状態にする一方でウキ止め７は係止し得る小径に形成されるリング状環体である。ここでのリング部品Ｆはソリッドの樹脂成形品で、ヘッド部Ｆ１と嵌入部Ｆ２とからなる軸対称品である。嵌入部Ｆ２は円筒形にして外径が貫通孔１２の下側孔径Ｄ２(ここではＤ２＝Ｄ)に等しい。ヘッド部Ｆ１は嵌入部Ｆ２の基端(図１２では嵌入部Ｆ２下端)から外方に延設される鍔状部で、嵌入部Ｆ２を本体部下面から貫通孔１２内に挿入し、貫通孔１２の下端で本体部下面にヘッド部Ｆ１が当接することによってリング部品Ｆが本体部１０に密着し一体的に嵌着される。嵌入部Ｆ２の円筒外面及びヘッド部Ｆ１の本体部当接面に接着剤を適宜塗布し本体部１０へのリング部材Ｅの確実な固着が図られる。
リング部品Ｆの円形リング孔Ｆ４は、図１２のごとくヘッド部Ｆ１に最小孔径(例えば０.６mmφ)が設けられ、ヘッド部Ｆ１を過ぎた地点から嵌入部Ｆ２の先端に向けてラッパ状に広がる形になっている。本発明のリング部品Ｆの内径ｄ２は軸方向に本実施形態のように孔径が変化する場合は最小になる孔径をいう。ここでは、ヘッド部Ｆ１での最小孔径がリング部品Ｆの内径ｄ２になっている。リング部品Ｆの内径ｄ２の好適範囲は、０.５mmφ≦ｄ２≦０.８mmφである。この範囲より小さいと道糸２の遊挿状態がきつくなり、一方、この範囲を越えるとリング部品Ｆ(戻りウキ)によるヒゲ付きウキ止め７の係止が難しくなる。
なお、実施形態３(後述)のようにリング部品Ｆを省く構造にすることも可能であるが、該リング部品Ｆをつければ耐久性が向上する。
【００２６】
貫通孔１２とリング部材Ｅのリング孔Ｅ４とリング部品Ｆのリング孔Ｆ４は中心軸が一致する。貫通孔１２の孔径Ｄとリング部材Ｅの内径ｄ１とリング部品Ｆの内径ｄ２との関係は、ｄ２＜ｄ１＜Ｄである。リング部材Ｅの内径ｄ１は、ある程度の抵抗に抗して外力がウキ止め７に加わらないと該ウキ止め７がくぐり抜けることができなくなっているが、ウキ釣りの投入時の空気抵抗を受けて移動する戻りウキにあってはウキ止め地点に達し(図１１)、そのまま移動する力(慣性力)を借りてウキ止め７を弾性変形させ(図１２のイ)、弾性変形させられたウキ止め７が道糸２に寄り添う形となってリング部材Ｅをくぐり抜け、貫通孔１２内へとウキ止め７を導くことができる。貫通孔１２内に入ったウキ止め７は弾性復元し、サソイをかけた程度では抜けない状態となる。リング部材Ｅの挿入部下面Ｅ３が内径ｄ１の外側で水平面を保って出口(貫通孔１２の上側内径Ｄ１)をせばめる姿態であり、ウキ止め７が実施形態１に比べてより抜け難い構造になっている(図１２のロ)。かといって、ウキ止め７はヒゲ７１の弾性復元力で貫通孔１２内に係止されているにすぎないので、回収時に道糸２を巻き取れば竿先でウキ止め７が戻りウキ１から離れてそのまま巻き取られる一方、ウキ止め７から離れた戻りウキ１は図３(イ)のように水中ウキ(又は通常ウキ)上に落下する。
なお、リング部材Ｅが剛体若しくはそれに近い硬い物体(リジッド)からなり、しかもヒゲ付きウキ７のような弾性変形させなければリング孔Ｅ４をくぐり抜けることのできない内径ｄ１のあるリング部材Ｅが、貫通孔１２の上部すなわち本体部上部に固着されているので、本実施形態品は斯る弾性変形してリング部材Ｅをくぐり抜けることのできるヒゲ付きウキ止め７等に対し適用可能な戻りウキ１となる。
【００２７】
ところで、本発明はウキ釣りの投入で戻りウキ１が空気抵抗を受けることにより道糸２を摺動して竿４側へと移動し、その慣性移動力を利用してウキ止め７を貫通孔１２内に収めるが、これに代えて、仕掛け(錘り)の重量(重力)を利用してウキ止め７をウキの貫通孔１２内へ収める方法も考えられる。しかし、この方法は次の問題点があり実現不可能となる。
第１に、ウキ止め７のヒゲ７１が内径ｄ１のリング部材Ｅを通過するには、約１.５ｇ以上の負荷(錘り)が必要になる。１.５ｇの負荷はフカセ釣りで有り得ず、通用しない。第２に、ウキ止め７を貫通孔１２内に収めた状態を確保するにはウキ下部の孔径ｄ２を０.７mmφ前後にしなければならない。０.７mmφは非常に小さな孔で、道糸２のラインに少しの糸グセがあってもタナ落ちを妨げる。第３に、ウキ止め７が貫通孔１２内に収まってからサソイをかける(仕掛けを引き戻す)場合がある。ウキの重量が通常８ｇ以上あるので、サソイをかけた時にウキ止め７が抜けてしまう不具合が発生する。
これに対し、本実施形態品は上記全ての問題を克服する。第１の問題に関し、ウキ釣りの投入で戻りウキ１が空気抵抗を受け竿４側へ移動する該移動力を利用し、ウキ止め７のヒゲ７１を弾性変形させてウキ止め７を貫通孔１２内に入り込ませるので、仕掛けに負荷を与えなくて済む。完全フカセでも可能である。第２の問題に関しては、リング部品Ｆの内径ｄ２が０.７mmφ前後であっても、投入時の空気抵抗を受けて戻りウキが移動する力を利用するので、錘り重量に比べれば絶大な外力(慣性力)が加えられる結果、多少の糸グセ等があっても何ら支障ない。ウキ釣りの投入過程の空中で、戻りウキ１が糸グセのある道糸２を摺動し、ウキ止め７が貫通孔１２内に難なく入り込む。第３の問題に関しては戻りウキの重量が高々０.６ｇ(０.０５≦ρ≦０.６)で極めて軽いので、戻りウキに一度入ったウキ止め７は回収時の竿の穂先に当たるまで抜け難い状態になる。さらに、錘りに頼る方法は仕掛けのタナ落ちが完了し、その後、ウキ止め７が貫通孔１２内に収まる順序となるのに対し、本実施形態品は既述のごとく投入直後にウキ止め７が戻りウキ内に収まるので、着水時点では所望のタナが出来上がっている。タナ落ちに全く影響を与えない。加えて、仕掛けの重みを利用する方法によると、仕掛けが任意のタナに到達してから「アソビ」や「フケ」が解消されるが、戻りウキは着水時より「アソビ」や「フケ」がない。投入時は遊動状態で、投入後の着水時点ではウキ止め位置まで摺動して貫通孔１２内にウキ止め７を配し、必要なタナが確保された固定状態の戻りウキとなる。
かくのごとく、フカセ釣り等のウキ釣りにあって、タナ落ちを確実なものにするにとどまらず上記のごとく数々の点で理にかなう戻りウキになっている。
【００２８】
[実施形態３：戻りウキが本体部とリング部材とで形成される場合]
本実施形態の戻りウキは図１３のごとく本体部１０とリング部材Ｅとを具備する。貫通孔１２の上端に本体部１０とは別体のリング部材Ｅが固着されてなる戻りウキで、実施形態２のリング部品Ｆをなしにし、その代わりに貫通孔１２の孔径をハリス側から竿４側に向かって大きくをした本体部１０にしている。貫通孔１２の下端孔径Ｄ２は、道糸２の糸径より大にして道糸２を遊挿状態にする一方でウキ止め７は係止し得る小径に形成される。貫通孔１２の下端孔径Ｄ２の長さは前記リング部品Ｆの内径ｄ２の長さと同じに設定される。他の本体部１０の構成は実施形態２と同様でその説明を省く。またリング部材Ｅは挿入部Ｅ２が実施形態２の円筒形に代えて貫通孔壁に密着する円錐筒形とする。他の構成は実施形態２と同様でその説明を省く。
【００２９】
このように構成した戻りウキも、実施形態２と同様、ウキ釣りの投入時の空気抵抗を受けて移動する戻りウキがウキ止め地点に達し、そのまま移動する力(慣性力)でもってウキ止め７を弾性変形させ(図１３のイ)、弾性変形させられたウキ止め７は道糸２に寄り添う形となってリング部材Ｅをくぐり抜け、貫通孔１２内へと導かれる(図１３のロ)。貫通孔１２内に入ったウキ止め７は弾性復元し、サソイをかけた程度では抜けない状態になる。
【００３０】
次に上記構成の実施形態１〜３に係る戻りウキ１の使用方法について説明する。
（１）第１の使用方法
本法は図３〜図５のようなフカセ釣りにおける一使用方法である。フカセ釣りとはグレやチヌを狙うときに、できるだけ軽い仕掛けでウキを使用した釣り方をいう。海面Ｓから釣針８(サシエ９)までのタナの長さを例えば９ｍとして、釣針８の位置から９ｍの所の道糸２にウキ止め７を固着する。そしてサルカン５より上方の道糸２に比重が１.１程度の水中ウキ３ａを挿通し且つ該水中ウキ３ａの上方に戻りウキ１を挿通する。符号６はサルカン５下の仕掛け(サルカン５〜釣針８)に設けた錘り、符号８は釣針、符号９はサシエを示す。竿４の長さは高々５ｍほどであり、図３(イ)の投入前の段階ではウキ止め７がリールＲ近く或いはリールＲに巻かれた状態にある。水中ウキ３ａ,戻りウキ１は道糸２に遊挿状態にあり、サルカン５に水中ウキ３ａが当接し、該水中ウキ３ａに戻りウキ１が当接している。
フカセ釣り投入すると、図３(イ)の状態から図３(ロ)へと移り、さらに仕掛けが空中を飛んで(図４の左方向)、海面Ｓに仕掛けが着水する。図３(ロ)から空中を飛んで図４に至る段階で、戻りウキ１は主に受面加工部１３のへこみ１３３に空気抵抗を受け、道糸２を摺動して竿４側へと仕掛けに対し相対移動する。『空気中では空気抵抗が存在する。風が吹いていようがいまいが、空気分子の存在自体のためにその質量によって慣性が生じ、空気中を運動する物体は速度ベクトルとは反対の方向に抵抗力を受ける。』(http//quasar.cc.osaka-kyoiku.ac.jp/~fukue/POPULAR/98sf/jet/jet.htmより抜粋)。図４において、水中ウキ３ａはタマゴ形にして空気抵抗を受けづらい形状だけでなくその形状が比較的大きく且つ重量があり、投入時の釣人から付与された遠心力でサルカン５に当接したまま着水地点までたどり着く。一方、戻りウキ１は軽量にしてしかも空気抵抗を受け易い受面加工部１３があるので、図４では遠心力を伴った投入方向(同図の左方向)の速度ベクトルとは反対の方向(右方向)すなわち竿４方向に抵抗力を受け、同図の白抜き矢印方向へと移動する。戻りウキ１の移動過程で、ウキ止め７が該戻りウキ１の貫通孔１２に入りこれがストッパになって停止する。そしてこの状態で着水する(図５)。投入時は図３(イ)のごとくサルカン５の所に水中ウキ３ａ,戻りウキ１が在って投げ易く、投入後にウキ止め７に戻りウキ１が嵌って固定状態となり、戻りウキ１下にタナの長さが確保される。ウキ釣りの投入過程で、戻りウキ１は空気抵抗を受けて水中ウキ３ａや仕掛けに対し竿４側へと相対的にバックし、戻りウキ１止めと一体化するのである。
着水後は海面Ｓに浮かぶ戻りウキ１を支点に水中ウキ３ａがゆっくりと沈んでいく。水中ウキ３ａの比重約１.１は空気中では十分な重量があり遠投するのに役立つ一方、海水中に入れば海水との比重差が近く、ゆっくりと沈んでいく。戻りウキ１が海面Ｓに浮かび、戻りウキ１(ウキ止め７)から釣針８までのタナが海中に沈む。
既にウキ止め７に戻りウキ１が固定されてタナが確保できた状態にあるので、従来法(図１４)のごとくウキ止め７をウキ３ｂまで移動させてタナを確保する必要がなくなっている。図１４のウキ止め７からウキ３ｂまでの遊動部をウキ３ｂの縦通孔３２を通過させタナ落ち移動させる従来法では、道糸２の巻きグセ等の問題や中通しウキの縦通部を道糸２が移動通過するときの接触抵抗等が負担になって、タナ落ちには大変苦労していた。これに対し、本法は遊動仕掛けでありながら投入動作によって狙うタナの位置に戻りウキ１が固定されるので、遊動部のタナ落ち移動をさせなくて済む。本戻りウキ１を用いることによって、遊動仕掛けでありながら投入すれば戻りウキ１が所望位置(ウキ止め７位置)に固定されて固定ウキになる画期的なフカセ釣り手法を創出する。
【００３１】
（２）第２の使用方法
本法は図９(イ)のような全遊動釣りでの使用方法である。全遊動釣りではウキ止め７を使用しない。この釣法は軽い仕掛けでゆっくりと落としていき、浅い所から深い所まで探る方法である。
全遊動仕掛けは強風時には不利であり、また初心者には難しい釣法となる。軽い仕掛けでゆっくりと落とさなければならないからであり(図９のロ)、重い錘り６を使用すれば沈下が早くなって魚が喰わなくなってしまう。
【００３２】
第２の使用方法では、第１の使用方法のフカセ釣りで用いた図３〜図５の釣り具で、ウキ止め７を外した状態のものを使用し、さらに軽い仕掛けにすべくサルカン５下の錘り６を外している。
第１の使用方法におけるフカセ釣り投入と同様、投入に伴い、戻りウキ１が投入方向の速度ベクトルとは反対の方向すなわち竿４方向に空気抵抗力を受け、竿４側へ移動する。そして、図９(イ)のような状態で着水する。本法では投入直後の段階で、既に戻りウキ１〜釣針８までのタナが従来法(図９のロ)より長くなっている。このため、道糸２が移動しなくても仕掛けの沈下のみで浅い所から深い所まで探ることができる。
従来の全遊動釣り(図９のロ)では、中通しウキ３ｂ内を道糸２が通過し遊動部を移動させねばならないため錘り６が必要であったが、本法によれば錘り６は不要になる。沈下スピードが決められた水中ウキ３ａを使用すれば初心者でも好釣果が期待できる。
【００３３】
本法ではウキ止め７に戻りウキ１が固定されていないが、着水後、海面Ｓに浮かぶ戻りウキ１を支点に戻りウキ１下の部分が海中に沈んでいく。戻りウキ１がウキ止め７に固定されてないため、道糸２が戻りウキ１内を通過すると一見考えられる。しかし、全遊動釣りには軽い仕掛けが用いられ、且つ道糸２の太さが０.２〜０.３mmφに対し、貫通孔１２の下側孔径Ｄ２(実施形態２ではリング部品Ｆの内径ｄ２)が０.５〜０.８mmφほどであり、さらに道糸２にはリールＲのスプールぐせ等が付いているため糸ぐせや道糸２との接触抵抗等によって、道糸２の動きに戻りウキ１が同調し移動する。一方、ウキ止め７がないので投入時に戻りウキ１が予想以上に戻ってしまう場合があるが、この場合は道糸２等との接触抵抗以上の竿操作を加えることによって簡単に任意の位置に修正できる。
【００３４】
（３）第３の使用方法
図１０に示す本法は図１４と同じようなタナ落ち移動させるフカセ釣りにおける使用方法である。遊動仕掛けで従来型のウキ３ｂの上部に本願戻りウキ１を取付け、該戻りウキ１をタナ落ちの目印に使用する。
遊動仕掛けのタナ落ちは同じ仕掛けであっても、風,波等の影響で刻一刻違ってくる。初心者はこの変化が判らず貧果になることがある。現在、タナ落ちを確認するためにカラー道糸２や目印機能付きのウキ止め７があるが、これらは小さくしかも海水中に潜るため、釣人が視認しづらい。
本戻りウキ１を取付けることで、投入時に戻りウキ１が空気抵抗を受けることにより道糸２を摺動して竿４側へ移動し、ウキ止め７に戻りウキ１が拘束,固定される。着水後は、図１４と同様、ウキ〜ウキ止め７までの遊動部がタナ落ち移動し、戻りウキ１がそのタナ落ち移動がなされているかの目印となる。ウキ止めに比べ大きくて目印になる戻りウキ１は、タナ落ちがなされているかどうか確実に見極めることができる。従って、状況に応じて仕掛けを調整することが可能になり好釣果が期待できる。
【００３５】
このように構成した戻りウキ１は、前記第１,２の使用方法におけるごとく、釣り人が投入すれば、その投入の力と大気圏に存在する空気抵抗を利用して、戻りウキ１を所望のタナが確保できるウキ止め７に係止,固定できる。投入段階は遊動仕掛け状態でありながら投入すれば戻りウキ１が固定ウキとなる独創的発明となる。従来は図１４のごとく投入後に所定長さの遊動部が中通しウキ３ｂを通過しなければならず、その通過の困難性(解決課題での第１〜第３の理由に基づく。)が指摘され、貧果に陥っていたが、戻りウキ１を用いた第１,２の使用方法を採用すれば、遊動部が存在しないため狙ったタナを確実にキープできる。タナ落ち確保の困難性は一挙に解決する。
投入時は、図３(イ)のごとく水中ウキ３ａ(又は通常ウキ３ｂ)及び遊動状態にある戻りウキ１がサルカン部まで落ちており、竿長さが５ｍ前後でタナを１０ｍ程度に設定しても楽に投入できる。そして、投入に伴って戻りウキ１が空気抵抗を受けて道糸２を摺動して道糸２に取付けられた当初の位置から竿４側へ移動し、さらにウキ止め７に係止,固定されて固定ウキに変わる。戻りウキ１が遊動ウキから固定ウキに変貌することによって所望のタナが確保されるのである。ウキ止め７がない全遊動釣りにおいても、投入に伴って戻りウキ１が竿４側に移動し所望のタナが確保されることになる。
【００３６】
また本戻りウキ１は遊動部が中通しウキ３ｂを通過する第３の使用方法の用いられ方がなされても、威力を発揮する。図１４のような従来法は遊動仕掛けのタナ落ちがなされているかの判断はマーカー付与されたウキ止め７等によっていたが、該ウキ止め７が小さく且つ海中に沈んでしまうので釣人は確認しづらかった。これに対し、本戻りウキ１を用いた第３の使用方法によれば、ウキ止め７に比べれば極めて大きく視認し易い戻りウキ１で遊動部の動きを知らせるので、釣人は遊動仕掛けのタナ落ち進行を容易に確認できる。従来はタナが落ちていると思っていても、実際は風などの影響で落ちてない場合があり、斯る場合には貧果になる。本発明ではタナ落ち進行が確認できるので、タナ落ちが悪い場合にはウキ下に錘りを付けるなどの適正な判断ができる。
【００３７】
また本発明の戻りウキ１が道糸２に取付けられると、途中のアタリが確認できる。従来法はウキ止め７がウキ３ｂに当たるまでアタリの確認ができなかった。そのため、魚に釣針８を飲まれハリス切れも多々発生した。またサシエ盗りがサシエ９を盗っても判断できなかった。戻りウキ１をつけることによって、その動きでアタリ確認等ができ、釣針８を飲まれず好釣果が期待できる。サシエ盗りに関しても戻りウキ１が一瞬動くのでその判断ができる。そのため、仕掛けを回収しサシエ９を交換できる。従来はサシエの無い状態で釣りをしていることがあり、貧果になることがあったが、そのような事態を解消できる。
さらに全遊動釣りにおいてはウキ止め７がないためよく釣れるが、釣針８を飲み込まれハリス切れが多い欠点があった。本戻りウキ１を取り付けることによって瞬時にアタリを確認でき釣針８の飲み込みを回避できるようになる。
【００３８】
尚、本発明においては前記実施形態に示すものに限られず、目的,用途に応じて本発明の範囲で種々変更できる。本体部１０,足部１１,貫通孔１２,受面加工部１３,リング部材Ｅ,リング部品Ｆ等の形状,大きさ,個数等は用途に合わせて適宜選択できる。
【図面の簡単な説明】
【００３９】
【図１】実施形態１の戻りウキで、(イ)がその斜視図で(ロ)が正面図である。
【図２】戻りウキとこれの下に配される平らなウキ(又は水中ウキ)との関係を示す一部断面説明図である。
【図３】フカセ釣りの投入時の模様を示す概略説明図である。
【図４】フカセ釣りの投入時の模様を示す概略説明図である。
【図５】投入後の仕掛けの動きを説明図である。
【図６】(イ)〜(ハ)はそれぞれ図１と異なる戻りウキの別態様図で、各左側が斜視図で各右側が正面図である。
【図７】(イ)〜(ハ)もそれぞれ図１や図６とは異なる戻りウキの別態様図で、各左側が斜視図で各右側が縦断面図である。
【図８】図１及び図６,図７と異なる戻りウキで、(イ)はウキ止めが貫通孔内に留まった縦断面説明図、(ロ)は(イ)の貫通孔を形成する壁面に溝を形成した縦断面図である。
【図９】図５とは異なる戻りウキの第２の使い方で、(イ)が戻りウキを全遊動仕掛けに用いた場合の説明図で、(ロ)が全遊動仕掛けの従来の説明図である。
【図１０】図５,図９とは異なる戻りウキの第３の使い方で、遊動仕掛けで従来型のウキの上流側に戻りウキを取付けた説明図である。
【図１１】実施形態２の戻りウキの斜視図である。
【図１２】図１１の戻りウキの縦断面図である。
【図１３】実施形態３の戻りウキの縦断面図である。
【図１４】従来技術の説明図である。
【符号の説明】
【００４０】
１            戻りウキ
１０          本体部
１２          貫通孔
１３          受面加工部(空気抵抗を受ける面又はへこみ)
１３１        平坦面(面)
１３２        曲面(面)
１３３        へこみ
Ｄ１,Ｄ２        孔径
２            道糸
４            竿
ｄ１,ｄ２        内径
Ｅ            リング部材
Ｅ４           リング孔
Ｆ            リング部品
Ｈ            ハリス
【図１】
2005027650.tif 000003
【図２】
2005027650.tif 000004
【図３】
2005027650.tif 000005
【図４】
2005027650.tif 000006
【図５】
2005027650.tif 000007
【図６】
2005027650.tif 000008
【図７】
2005027650.tif 000009
【図８】
2005027650.tif 000010
【図９】
2005027650.tif 000011
【図１０】
2005027650.tif 000012
【図１１】
2005027650.tif 000013
【図１２】
2005027650.tif 000014
【図１３】
2005027650.tif 000015
【図１４】
2005027650.tif 000016